(57)【要約】【課題】プルトップの爪先を引っ掛ける部分と蓋との間の隙間が狭く爪先が入り難いので、爪先の弱い力ではプルトップを上げることができない。爪先だけではプルトップが上がらないので、指先が入り難いと言う問題点がある。そこで本発明は、指先を入り易くすることを課題としている。【解決手段】プルトップの中心部には押圧用ピン３を設けた穴１及び、缶壁側には指引掛け用の穴２が設けられており、この穴２を形成している周辺のうち缶壁側の辺４だけが、他の３辺５、５、５より上方に湾曲した形状と成されているか、湾曲しながら、辺４の上面６が缶壁側に高くなるように傾斜した形状であり、他の３辺５、５、５の厚みよりも薄く、厚み０．３５ｍｍ〜０．１ｍｍの薄板９にするか、一個又は複数個の長穴１０、１０・・・及び／又は穴１１、１１・・・を設ける構成である。【選択図】    図１
2011037467.tif 000002
【特許請求の範囲】
【請求項１】
プルトップ缶の蓋を開けるために使用するプルトップであって、このプルトップの中心部には押圧用ピン（３）を設けた穴（１）及び、缶壁側には指引掛け用の穴（２）が設けられており、この穴（２）を形成している周辺のうち缶壁側の辺（４）だけが、他の３辺（５、５、５）より上方に湾曲した形状と成されているか、湾曲しながら、辺（４）の上面（６）が缶壁側に高くなるように傾斜した形状と成されていることを特徴とするプルトップ。
【請求項２】
上記缶壁側の辺（４）の裏面が、裏へ回した曲がり部（７、７）を有しない平板（８）のみで形成されていることを特徴とする請求項１記載のプルトップ。
【請求項３】
上記辺（４）を形成する材料の厚みが、他の３辺より薄く、厚み０．３５ｍｍ〜０．１ｍｍの薄板（９）に成されていることを特徴とする請求項１又は２記載のプルトップ。
【請求項４】
上記缶壁側の辺（４）だけに、一個又は複数個の長穴（１０、１０・・・）及び／又は穴（１１、１１・・・）が設けられていることを特徴とする請求項１〜３の何れかに記載のプルトップ。
【請求項５】
上記缶壁側の辺（４）だけが他の３辺（５、５、５）よりも幅が狭く、その幅が１．８ｍｍ〜０．３ｍｍの細板（１２）に成されていることを特徴とする請求項１〜３の何れかに記載のプルトップ。
【発明の詳細な説明】
【技術分野】
【０００１】
本発明は、開け易いプルトップに関する。
【背景技術】
【０００２】
従来、プルトップ式は最も便利な缶の開口方式であり、年齢を問わず利用されている。これは最初にプルトップを爪先で引っ掛ける必要がある。爪先を引っ掛けると同時に指先で引き起こして開けているが、プルトップは曲がらないように製作されているので、弱い力では爪先、指先でプルトップを引き起こすことができない。場合によっては爪が剥がれそうに感じることがある。プルトップが開けられない人のために、多くの開口具が製作されていて、すべての人が簡単に開けられないので、本来の役割を果たしていない。
【先行技術文献】
【特許文献】
【０００３】
【特許文献１】特開２００３−１２８０６２公報
【特許文献２】特開２００１−１３０５６０公報
【特許文献３】実開平５−４２１３２公報
【０００４】
特許文献１は、プルトップのリングにリングを横切る折り曲げ線を設け、その折り曲げ線より折り曲げた時、リングをＬ字型に止めるように凸部（４）を設けておき、Ｌ字型になったリングをタブ方向に押すことで、無理の無い力の入れ方で、容易にタブの開放ができる。
【０００５】
特許文献２は、缶の上蓋に固定されたプルトップが、そのプルトップを横断する屈曲部を境に折り曲げられている。プルトップのリングと缶の上蓋との間には、所定の隙間が形成されている。
【０００６】
特許文献３は、プルリングに薄肉或いは弱い材質とした折曲部を形成し、容易にプルリングと缶の上面との間に指が差し込めるように、引起し方向に対し直交する折曲部が設けられている。
【発明の概要】
【発明が解決しようとする課題】
【０００７】
プルトップの爪先を引っ掛ける部分と蓋との間の隙間が狭く爪先が入り難いので、爪先の弱い力ではプルトップを上げることができない。爪先だけではプルトップが上がらないので、指先が入り難いと言う問題点がある。そこで本発明は、指先を入り易くすることを課題としている。
【課題を解決するための手段】
【０００８】
プルトップの中心部には押圧用ピン３を設けた穴１及び、缶壁側には指引掛け用の穴２が設けられており、この穴２を形成している周辺のうち缶壁側の辺４だけが、他の３辺５、５、５より上方に湾曲した形状と成されているか、湾曲しながら、辺４の上面６が缶壁側に高くなるように傾斜した形状であり、他の３辺５、５、５の厚みよりも薄く、厚み０．３５ｍｍ〜０．１ｍｍの薄板９にするか、一個又は複数個の長穴１０、１０・・・及び／又は穴１１、１１・・・を設けるか、１ｍｍ〜０．３ｍｍの細板１２にするような構成である。
【発明の効果】
【０００９】
缶壁側の辺４だけが、他の３辺５、５、５より上方に湾曲した形状と成されているか、湾曲しながら、辺４の上面６が缶壁側に高くなるように傾斜した形状にすることによって、プルトップの引掛け部に指先１３が入り易くなる。缶壁側の辺４だけを厚み０．３５ｍｍ〜０．１ｍｍの薄板９にするか、一個又は複数個の長穴１０、１０・・・及び／又は穴１１、１１・・・を設けるか、１ｍｍ〜０．３ｍｍの細板１２にすることによって、缶壁側の辺４が柔らかくなり、プルトップと蓋との間の隙間が広がり、子供の指先１３でもプルトップを上げることができる。
【図面の簡単な説明】
【００１０】
【図１】本発明１の実施の形態の一例を示す斜視図、断面図である。
【図２】本発明１の実施の形態の一例を示す斜視図、断面図である。
【図３】本発明１の実施の形態の一例を示す斜視図、断面図である。
【図４】本発明１の実施の形態の一例を示す説明図である。
【図５】本発明２の実施の形態の一例を示す斜視図、断面図である。
【図６】本発明３の実施の形態の一例を示す斜視図、断面図である。
【図７】本発明３の実施の形態の一例を示す斜視図、断面図である。
【図８】本発明４の実施の形態の一例を示す上面図、断面図である。
【図９】本発明５の実施の形態の一例を示す上面図、断面図である。
【発明を実施するための形態】
【００１１】
缶壁側の辺４を、他の３辺５、５、５より上方に湾曲した形状と成されているか、湾曲しながら、辺４の上面６が缶壁側に高くなるように傾斜した形状にして、他の３辺５、５、５の厚みより薄い薄板９にするか、長穴１０、１０・・・及び／又は穴１１、１１・・・を設けるか、１ｍｍ〜０．３ｍｍの細板１２にする構成である。
【実施例１】
【００１２】
そこで、本発明の請求項１記載のプルトップ（以下、本発明１と言う）は、プルトップ缶の蓋を開けるために使用するプルトップであって、このプルトップの中心部には押圧用ピン３を設けた穴１及び、缶壁側には指引掛け用の穴２が設けられており、この穴２を形成している周辺のうち缶壁側の辺４だけが、他の３辺５、５、５より上方に湾曲した形状と成されているか、湾曲しながら、辺４の上面６が缶壁側に高くなるように傾斜した形状と成されていることを特徴としている。
【００１３】
実施の形態の一例として、第１a図は本発明１のプルトップの斜視図であり、第１b図は第１a図のＡＡ線による断面図である。プルトップの中心部には押圧用ピン３を設けた穴１及び、缶壁側には指引掛け用の穴２が設けられており、この穴２の缶壁側の辺４だけが、他の３辺５、５、５より上方に湾曲した形状としていることを示している。プルトップの缶壁側の辺４は、幅が２．５ｍｍであり、両辺が下方裏面に折り曲げられている曲がり部７、７の厚みが１ｍｍある。第１c図が示しているのは、缶壁側の辺４が指先１３の形状に合わせて、１．５ｍｍ上方に湾曲しているので、子供の爪先、指先１３でもプルトップの隙間に入り易く、爪を傷めることなくプルトップを引き上げることができる。
【００１４】
実施の形態の一例として、第２a図本発明１のプルトップの斜視図であり、第２b図は第１a図のＢＢ線による断面図である。プルトップの中心部には押圧用ピン３を設けた穴１及び、缶壁側には指引掛け用の穴２が設けられており、この穴２の缶壁側の辺４だけが、他の３辺５、５、５より上方に湾曲しながら、辺４の上面６が缶壁側に高くなるように傾斜した形状と成されていることを示している。傾斜の角度は２４度であるが、爪先、指先１３が入り易い角度であれば良く限定しない。第２c図が示しているのは、缶壁側の辺４が、缶壁側の辺４側に斜め上方に２４度傾斜して湾曲しているので、より指先１３が入り易い形状にすることができる。子供の爪先、指先１３でもプルトップの隙間に入り易く、爪を傷めることなくプルトップを引き上げることができる。
【００１５】
実施の形態の一例として、第３a図本発明１のプルトップの斜視図であり、第３b図は第３a図のＣＣ線による断面図である。缶壁側の辺４だけが、他の３辺５、５、５より缶壁側の辺４側が上方に湾曲しながら、辺４の上面６が缶壁側に高くなるように２４度傾斜した形状で、３．５ｍｍ高くなっていることを示している。第２c図が示しているのは、缶壁側の辺４が、３．５ｍｍ高くなっているので、指先１３が十分入る高さであり、誰でも簡単にプルトップを引っ掛けて缶を開けることができる。
【００１６】
実施の形態の一例として、第４図は本発明１の辺４が２４度傾斜して湾曲しているプルトップを引き上げる状態を示している側面図である。第４a図は指先１３を辺４に押し込んだ状態を示している。第４ｂ図は指先１３で辺４を上方に上げた状態を示している。第４ｃ図は指先１３上がった辺４に、指先１３を押し込んでいる状態を示している。第４ｄ図は指先１３を入れてプルトップを引き上げる状態を示している。このように辺４が上方に湾曲しているので指先１３が入り易く、簡単にプルトップを上げることができる。本発明１のプルトップの材質はアルミであり、曲がり易い特性がある。
【実施例２】
【００１７】
本発明の請求項２記載のプルトップ（以下、本発明２と言う）は、上記缶壁側の辺４の裏面が、裏へ回した曲がり部７、７を有しない平板８のみで形成されていることを特徴としている。
【００１８】
実施の形態の一例として、第５a図本発明２のプルトップの斜視図であり、第５b図は第５a図のＤＤ線による断面図である。プルトップの中心部には押圧用ピン３を設けた穴１及び、缶壁側には指引掛け用の穴２が設けられており、この穴２の缶壁側の辺４だけが、他の３辺５、５、５より上方に湾曲して設けられていて、この辺４の裏面を平坦な平板８にしていることを示している。辺４の両辺から下方に折り曲げられた第１ｂ図に示している曲がり部７、７を取り除くことによって、蓋との間の隙間が０．６ｍｍ開き、辺４の裏面を平坦することによって、指先１３が入り易くなる。この辺４の角で指先１３を切らないようにしている。
【００１９】
実施の形態の一例として、第５c図は本発明２の辺４が２４度傾斜して湾曲しているプルトップの斜視図であり、第５d図は第４c図のＥＥ線による断面図である。プルトップの中心部には押圧用ピン３を設けた穴１及び、缶壁側には指引掛け用の穴２が設けられており、この穴２の缶壁側の辺４だけが、他の３辺５、５、５より上方に湾曲しながら、辺４の上面６が缶壁側に高くなるように傾斜した形状をしていて、この辺４の裏面を平坦な平板８にしていることを示している。辺４の両辺から下方に折り曲げられた第２ｂ図に示している曲がり部７、７を取り除き平坦にすることによって、２４度傾斜した状態で蓋との間の隙間が０．６ｍｍ以上開くことになるので、指先１３が入り易くなる。この辺４の角で指先１３を切らないようにしている。
【００２０】
本発明２のプルトップの材質はアルミであり、辺４の両辺から下方に折り曲げられた曲がり部７を取り除くことによって、材料を削減できるので、コストを下げることができる。
【実施例３】
【００２１】
本発明の請求項３記載のプルトップ（以下、本発明３という）は、上記辺４を形成する材料の厚みが、他の３辺より薄く、厚み０．３５ｍｍ〜０．１ｍｍの薄板９に成されていることを特徴としている。
【００２２】
実施の形態の一例として、第６a図は本発明３のプルトップの辺４を薄板９にした斜視図であり、第６b図は第６c図のＦＦ線による断面図である。プルトップの中心部には押圧用ピン３を設けた穴１及び、缶壁側には指引掛け用の穴２が設けられており、この穴２の缶壁側の辺４だけが、他の３辺５、５、５より、上方に湾曲していて、他の３辺５、５、５の厚みよりも薄く、厚み０．２ｍｍの薄板９にしていることを示している。辺４の厚みを０．２ｍｍにすることによって、蓋との間の隙間が０．８ｍｍ開き、辺４の裏面が平坦になっているので、指先１３が入り易くなる。そして、厚み０．２ｍｍの薄板９にすることによって、辺４は柔らかくなり辺４を引き上げる時に、指先１３に密着した形状に変形して上げ易くなる。厚み０．２ｍｍの薄板９はプルトップを上げる時に、多くても４．５回押し当てるだけであり、薄板９が割れることはない。この薄板９の辺４の角で指先１３を切らないようにしている。
【００２３】
実施の形態の一例として、第６c図は本発明３のプルトップの辺４を薄板９にして缶壁側の辺４側が斜め上方に傾斜して湾曲している斜視図であり、第６ｄ図は第６c図のＧＧ線による断面図である。プルトップの中心部には押圧用ピン３を設けた穴１及び、缶壁側には指引掛け用の穴２が設けられており、この穴２の缶壁側の辺４だけが、他の３辺５、５、５より、上方に湾曲しながら、辺４の上面６が缶壁側に高くなるように２４度傾斜した形状をしていて、他の３辺５、５、５の厚みよりも薄く、厚み０．２ｍｍの薄板９にしていることを示している。辺４の厚みを０．２ｍｍにすることによって、蓋との間の隙間が０．８ｍｍ以上開き、辺４の裏面が平坦になっているので、指先１３が入り易くなる。そして、厚み０．２ｍｍの薄板９にすることによって、辺４は柔らかくなり辺４を引き上げる時に、指先１３に密着した形状に変形して上げ易くなる。この薄板９の辺４の角で指先１３を切らないようにしている。
【００２４】
実施の形態の一例として、第７a図は本発明３のプルトップの辺４を薄板９にした斜視図であり、第７b図は第７c図のＨＨ線による断面図である。缶壁側の辺４だけが、他の３辺５、５、５より、上方に湾曲していて、他の３辺５、５、５の厚みよりも薄く、厚み０．２ｍｍの薄板９にして、両辺から裏面に曲げた曲がり部７を設けていることを示している。辺４の厚みを０．２ｍｍにすることによって、蓋との間の隙間が０．８ｍｍ開き、指先１３が入り易くなる。そして、厚み０．２ｍｍの薄板９にすることによって、辺４は柔らかくなり辺４を引き上げる時に、指先１３に密着した形状に変形して上げ易くなる。曲がり部７を設けていることによって、補強されている。
【００２５】
実施の形態の一例として、第７c図は本発明３のプルトップの辺４を薄板９にして缶壁側の辺４側が斜め上方に傾斜して湾曲している斜視図であり、第７d図は第７c図のＩＩ線による断面図である。缶壁側の辺４側が上方に湾曲しながら、辺４の上面６が缶壁側に高くなるように２４度傾斜した形状をしていて、他の３辺５、５、５の厚みよりも薄く、厚み０．２ｍｍの薄板９にして、両辺から裏面に曲げた曲がり部７を設けていることを示している。辺４の厚みを０．２ｍｍにすることによって、蓋との間の隙間が０．８ｍｍ以上開き、指先１３が入り易くなる。そして、厚み０．２ｍｍの薄板９にすることによって、辺４は柔らかくなり辺４を引き上げる時に、指先１３に密着した形状に変形して上げ易くなる。
【００２６】
本発明３のプルトップの材質はアルミであり、辺４を薄板９にすることによって、材料を削減できるので、コストを下げることができる。
【実施例４】
【００２７】
本発明の請求項４記載のプルトップ（以下、本発明４と言う）は、上記缶壁側の辺４だけに、一個又は複数個の長穴１０、１０・・・及び／又は穴１１、１１・・・が設けられていることを特徴としている。
【００２８】
実施の形態の一例として、第８a図は本発明４のプルトップの上面図であり、第８b図は第８a図のＪＪ線による断面図である。缶壁側の辺４だけに４個の長穴１０、１０、１０、１０を略平行に設けたことを示していている。湾曲している辺４に長穴１０を設けることによって、辺４は柔らかくなり、湾曲させた辺４を引き上げる時に、指先１３に密着した形状に変形して上げ易くなる。
【００２９】
実施の形態の一例として、第８ｃ図は本発明４のプルトップの上面図であり、第８d図は第８b図のＫＫ線による断面図である。缶壁側の辺４だけに７個の穴１１、１１・・・を設けたことを示していている。湾曲している辺４に穴１１を設けることによって、辺４は柔らかくなり、湾曲させた辺４を引き上げる時に、指先１３に密着した形状に変形して上げ易くなる。
【００３０】
本発明４のプルトップの材質はアルミであり、辺４に長穴１０又は穴１１を設けることによって、材料を削減できるので、コストを下げることができる。
【実施例５】
【００３１】
本発明の請求項５記載のプルトップ（以下、本発明５と言う）は、上記缶壁側の辺４だけが他の３辺５、５、５よりも幅が狭く、その幅が１．８ｍｍ〜０．３ｍｍの細板１２に成されていることを特徴としている。
【００３２】
実施の形態の一例として、第９a図は本発明５のプルトップの上面図であり、第９b図は第９a図のＬＬ線による断面図であり、９c図は第９a図のＭＭ線による断面図であり、９d図は第９a図のＮＮ線による断面図である。缶壁側の辺４だけが他の３辺５、５、５よりも幅が狭く、その幅が１ｍｍの細板１２にしていること示している。湾曲している辺４の幅を狭くすることによって、辺４は柔らかくなり、湾曲させた辺４を引き上げる時に、指先１３に密着した形状に変形して上げ易くなる。
【００３３】
本発明５のプルトップの材質はアルミであり、辺４の幅を狭くすることによって、材料を削減できるので、コストを下げることができる。
【００３４】
【産業上の利用可能性】
【００３５】
本発明は、缶壁側の辺４だけを、他の３辺５、５、５より上方に湾曲した形状と成されているか、湾曲しながら、辺４の上面６が缶壁側に高くなるように傾斜した形状としているので、プルトップと蓋との間の隙間を広くなり指先１３が入り易くなる。辺４の両辺から下方に折り曲げられた曲がり部７を取り除くか、辺４を薄板９にするか、辺４を細板１２にすることによって、辺４が柔らかくなり、プルトップが指先１３に密着してプルトップを簡単に上げることができる便利なプルトップである。
【符号の説明】
【００３６】
１    穴
２    指引掛け用の穴
３    押圧用ピン
４    缶壁側の辺
５    辺
６    上面
７    曲がり部
８    平板
９    薄板
１０    長穴
１１    穴
１２    細板
１３    指先
【図１】
2011037467.tif 000003
【図２】
2011037467.tif 000004
【図３】
2011037467.tif 000005
【図４】
2011037467.tif 000006
【図５】
2011037467.tif 000007
【図６】
2011037467.tif 000008
【図７】
2011037467.tif 000009
【図８】
2011037467.tif 000010
【図９】
2011037467.tif 000011
【手続補正書】
【提出日】平成21年10月8日(2009.10.8)
【手続補正１】
【補正対象書類名】明細書
【補正対象項目名】全文
【補正方法】変更
【補正の内容】
【発明の詳細な説明】
【技術分野】
【０００１】
本発明は、開け易いプルトップに関する。
【背景技術】
【０００２】
従来、プルトップ式は最も便利な缶の開口方式であり、年齢を問わず利用されている。これは最初にプルトップを爪先で引っ掛ける必要がある。爪先を引っ掛けると同時に指先で引き起こして開けているが、プルトップは曲がらないように製作されているので、弱い力では爪先、指先でプルトップを引き起こすことができない。場合によっては爪が剥がれそうに感じることがある。プルトップが開けられない人のために、多くの開口具が製作されていて、すべての人が簡単に開けられないので、本来の役割を果たしていない。
【先行技術文献】
【特許文献】
【０００３】
【特許文献１】特開２００３−１２８０６２公報
【特許文献２】特開２００１−１３０５６０公報
【特許文献３】実開平５−４２１３２公報
【０００４】
特許文献１は、プルトップのリングにリングを横切る折り曲げ線を設け、その折り曲げ線より折り曲げた時、リングをＬ字型に止めるように凸部（４）を設けておき、Ｌ字型になったリングをタブ方向に押すことで、無理の無い力の入れ方で、容易にタブの開放ができる。
【０００５】
特許文献２は、缶の上蓋に固定されたプルトップが、そのプルトップを横断する屈曲部を境に折り曲げられている。プルトップのリングと缶の上蓋との間には、所定の隙間が形成されている。
【０００６】
特許文献３は、プルリングに薄肉或いは弱い材質とした折曲部を形成し、容易にプルリングと缶の上面との間に指が差し込めるように、引起し方向に対し直交する折曲部が設けられている。
【発明の概要】
【発明が解決しようとする課題】
【０００７】
プルトップの爪先を引っ掛ける部分と蓋との間の隙間が狭く爪先が入り難いので、爪先の弱い力ではプルトップを上げることができない。爪先だけではプルトップが上がらないので、指先が入り難いと言う問題点がある。そこで本発明は、指先を入り易くすることを課題としている。
【課題を解決するための手段】
【０００８】
プルトップの中心部には押圧用ピン３を設けた穴１及び、缶壁側には指引掛け用の穴２が設けられており、この穴２を形成している周辺のうち缶壁側の辺４だけが、他の３辺５、５、５より上方に湾曲した形状と成されているか、湾曲しながら、辺４の上面６が缶壁側に高くなるように傾斜した形状であり、他の３辺５、５、５の厚みよりも薄く、厚み０．３５ｍｍ〜０．１ｍｍの薄板９にして、一個又は複数個の長穴１０、１０・・・及び／又は穴１１、１１・・・を設ける構成である。
【発明の効果】
【０００９】
缶壁側の辺４だけが、他の３辺５、５、５より上方に湾曲した形状と成されているか、湾曲しながら、辺４の上面６が缶壁側に高くなるように傾斜した形状にすることによって、プルトップの引掛け部に指先１３が入り易くなる。缶壁側の辺４だけを厚み０．３５ｍｍ〜０．１ｍｍの薄板９にするか、一個又は複数個の長穴１０、１０・・・及び／又は穴１１、１１・・・を設けることによって、缶壁側の辺４が柔らかくなり、プルトップと蓋との間の隙間が広がり、子供の指先１３でもプルトップを上げることができる。
【図面の簡単な説明】
【００１０】
【図１】本発明１の実施の形態の一例を示す上面図、断面図である。
【図２】本発明１の実施の形態の一例を示す斜視図、断面図である。
【図３】本発明１の実施の形態の一例を示す斜視図、断面図である。
【図４】本発明１の実施の形態の一例を示す説明図である。
【図５】本発明２の実施の形態の一例を示す斜視図、断面図である。
【図６】本発明３の実施の形態の一例を示す斜視図、断面図である。
【発明を実施するための形態】
【００１１】
缶壁側の辺４を、他の３辺５、５、５より上方に湾曲した形状と成されているか、湾曲しながら、辺４の上面６が缶壁側に高くなるように傾斜した形状にして、他の３辺５、５、５の厚みより薄い薄板９にするか、長穴１０、１０・・・及び／又は穴１１、１１・・・を設ける構成である。
【実施例１】
【００１２】
そこで、本発明の請求項１記載のプルトップ（以下、本発明１と言う）は、プルトップ缶の蓋を開けるために使用するプルトップであって、このプルトップの中心部には押圧用ピン３を設けた穴１及び、缶壁側には指引掛け用の穴２が設けられており、この穴２を形成している周辺のうち缶壁側の辺４だけが、他の３辺５、５、５より上方に湾曲した形状と成されているか、湾曲しながら、辺４の上面６が缶壁側に高くなるように傾斜した形状と成されていて、缶壁側の辺４だけに、一個又は複数個の長穴１０、１０・・・及び／又は穴１１、１１・・・が設けられていることを特徴としている。
【００１３】
実施の形態の一例として、第１ａ図は本発明１のプルトップの上面図であり、第１ｂ図は第１ａ図のＡＡ線による断面図である。缶壁側の辺４だけに４個の長穴１０、１０、１０、１０を略平行に設けたことを示していている。湾曲している辺４に長穴１０を設けることによって、辺４は柔らかくなり、湾曲させた辺４を引き上げる時に、指先１３に密着した形状に変形して上げ易くなる。
【００１４】
実施の形態の一例として、第１ｃ図は本発明４のプルトップの上面図であり、第１ｄ図は第１ｃ図のＢＢ線による断面図である。缶壁側の辺４だけに９個の穴１１、１１・・・を設けたことを示していている。湾曲している辺４に穴１１を設けることによって、辺４は柔らかくなり、湾曲させた辺４を引き上げる時に、指先１３に密着した形状に変形して上げ易くなる。
【００１５】
実施の形態の一例として、第２ａ図は本発明１のプルトップの斜視図であり、第２ｂ図は第２ａ図のＣＣ線による断面図である。プルトップの中心部には押圧用ピン３を設けた穴１及び、缶壁側には指引掛け用の穴２が設けられており、この穴２の缶壁側の辺４だけが、他の３辺５、５、５より上方に湾曲していることを示している。プルトップの缶壁側の辺４は、幅が２．５ｍｍであり、両辺が下方裏面に折り曲げられている曲がり部７、７の厚みが１ｍｍある。第１ｃ図が示しているのは、缶壁側の辺４が指先１３の形状に合わせて、１．５ｍｍ上方に湾曲している。この第２図の辺４に、第１図に示しているように一個又は複数個の長穴１０、１０・・・及び／又は穴１１、１１・・・を設けることによって、辺４は柔らかくなり、湾曲させた辺４を引き上げる時に、指先１３に密着した形状に変形して上げ易くなる。子供の爪先、指先１３でもプルトップの隙間に入り易く、爪を傷めることなくプルトップを引き上げることができる。
【００１６】
実施の形態の一例として、第３ａ図本発明１のプルトップの斜視図であり、第３ｂ図は第３ａ図のＤＤ線による断面図である。第３図は缶壁側の辺４側が上方に湾曲しながら、辺４の上面６が缶壁側に高くなるように２４度傾斜した形状で、３．５ｍｍ高くなっていることが第２図との相違点であり、作用効果は同様である。
【００１７】
実施の形態の一例として、第４図は本発明１の辺４が２４度傾斜して湾曲しているプルトップを引き上げる状態を示している側面図である。第４ａ図は指先１３を辺４に押し込んだ状態を示している。第４ｂ図は指先１３で辺４を上方に上げた状態を示している。第４ｃ図は指先１３上がった辺４に、指先１３を押し込んでいる状態を示している。第４ｄ図は指先１３を入れてプルトップを引き上げる状態を示している。このように辺４が上方に湾曲しているので指先１３が入り易く、簡単にプルトップを上げることができる。
【００１８】
本発明１のプルトップの材質はアルミであり、曲がり易い特性があり、辺４に長穴１０又は穴１１を設けることによって、材料を削減できるので、コストを下げることができる。
【実施例２】
【００１９】
本発明の請求項２記載のプルトップ（以下、本発明２と言う）は、上記缶壁側の辺４の裏面が、裏へ回した曲がり部７、７を有しない平板８のみで形成されていることを特徴としている。
【００２０】
実施の形態の一例として、第５ａ図本発明２のプルトップの斜視図であり、第５ｂ図は第５ａ図のＥＥ線による断面図である。プルトップの中心部には押圧用ピン３を設けた穴１及び、缶壁側には指引掛け用の穴２が設けられており、この穴２の缶壁側の辺４だけが、他の３辺５、５、５より上方に湾曲して設けられていて、この辺４の裏面を平坦な平板８にしていることを示している。辺４の両辺から下方に折り曲げられた第１ｂ図に示している曲がり部７、７を取り除くことによって、蓋との間の隙間が０．６ｍｍ開き、辺４の裏面を平坦することによって、指先１３が入り易くなる。この辺４の角で指先１３を切らないようにしている。この第５図の辺４に、第１図に示しているように一個又は複数個の長穴１０、１０・・・及び／又は穴１１、１１・・・を設けることによって、辺４は柔らかくなり、湾曲させた辺４を引き上げる時に、指先１３に密着した形状に変形して上げ易くなる。
【００２１】
実施の形態の一例として、第５ｃ図は本発明２の辺４が２４度傾斜して湾曲しているプルトップの斜視図であり、第５ｄ図は第５ｃ図のＦＦ線による断面図である。第５ｃ図は缶壁側の辺４側が上方に湾曲しながら、辺４の上面６が缶壁側に高くなるように２４度傾斜した形状で、３．５ｍｍ高くなっていることが第５ａ図との相違点であり、作用効果は同様である。
【００２２】
本発明２のプルトップの材質はアルミであり、曲がり易い特性があり、辺４の両辺から下方に折り曲げられた曲がり部７を取り除くことによって、材料を削減できるので、コストを下げることができる。
【実施例３】
【００２３】
本発明の請求項３記載のプルトップ（以下、本発明３という）は、上記辺４を形成する材料の厚みが、他の３辺より薄く、厚み０．３５ｍｍ〜０．１ｍｍの薄板９に成されていることを特徴としている。
【００２４】
実施の形態の一例として、第６ａ図は本発明３のプルトップの辺４を薄板９にした斜視図であり、第６ｂ図は第６ａ図のＧＧ線による断面図である。缶壁側の辺４だけが、他の３辺５、５、５より、上方に湾曲していて、他の３辺５、５、５の厚みよりも薄く、厚み０．２ｍｍの薄板９にして、両辺から裏面に曲げた曲がり部７を設けていることを示している。辺４の厚みを０．２ｍｍにすることによって、蓋との間の隙間が０．８ｍｍ開き、指先１３が入り易くなる。そして、厚み０．２ｍｍの薄板９にすることによって、辺４は柔らかくなり辺４を引き上げる時に、指先１３に密着した形状に変形して上げ易くなる。曲がり部７を設けていることによって、補強されている。この第６図の辺４に、第１図に示しているように一個又は複数個の長穴１０、１０・・・及び／又は穴１１、１１・・・を設けることによって、辺４は柔らかくなり、湾曲させた辺４を引き上げる時に、指先１３に密着した形状に変形して上げ易くなる。
【００２５】
実施の形態の一例として、第６ｃ図は本発明３のプルトップの辺４を薄板９にして缶壁側の辺４側が斜め上方に傾斜して湾曲している斜視図であり、第６ｄ図は第６ｃ図のＨＨ線による断面図である。第６ｃ図は缶壁側の辺４側が上方に湾曲しながら、辺４の上面６が缶壁側に高くなるように２４度傾斜した形状で、３．５ｍｍ高くなっていることが第６ａ図との相違点であり、作用効果は同様である。
【００２６】
本発明３のプルトップの材質はアルミであり、曲がり易い特性があり、辺４を薄板９にすることによって、材料を削減できるので、コストを下げることができる。
【産業上の利用可能性】
【００２７】
本発明は、缶壁側の辺４だけを、他の３辺５、５、５より上方に湾曲した形状と成されているか、湾曲しながら、辺４の上面６が缶壁側に高くなるように傾斜した形状としているので、プルトップと蓋との間の隙間を広くなり指先１３が入り易くなる。缶壁側の辺４だけに、一個又は複数個の長穴１０、１０・・・及び／又は穴１１、１１・・・が設けるか、辺４の両辺から下方に折り曲げられた曲がり部７を取り除いて設けるか、辺４を薄板９にして設けることによって、辺４が柔らかくなり、プルトップが指先１３に密着してプルトップを簡単に上げることができる便利なプルトップである。
【符号の説明】
【００２８】
１    穴
２    指引掛け用の穴
３    押圧用ピン
４    缶壁側の辺
５    辺
６    上面
７    曲がり部
８    平板
９    薄板
１０    長穴
１１    穴
１２    細板
１３    指先
【手続補正３】
【補正対象書類名】特許請求の範囲
【補正対象項目名】全文
【補正方法】変更
【補正の内容】
【特許請求の範囲】
【請求項１】
プルトップ缶の蓋を開けるために使用するプルトップであって、このプルトップの中心部には押圧用ピン（３）を設けた穴（１）及び、缶壁側には指引掛け用の穴（２）が設けられており、この穴（２）を形成している周辺のうち缶壁側の辺（４）だけが、他の３辺（５、５、５）より上方に湾曲した形状と成されているか、湾曲しながら、辺（４）の上面（６）が缶壁側に高くなるように傾斜した形状と成されていて、缶壁側の辺（４）だけに、一個又は複数個の長穴（１０、１０・・・）及び／又は穴（１１、１１・・・）が設けられていることを特徴とするプルトップ。
【請求項２】
上記缶壁側の辺（４）の裏面が、裏へ回した曲がり部（７、７）を有しない平板（８）のみで形成されていることを特徴とする請求項１記載のプルトップ。
【請求項３】
上記辺（４）を形成する材料の厚みが、他の３辺より薄く、厚み０．３５ｍｍ〜０．１ｍｍの薄板（９）に成されていることを特徴とする請求項１又は２記載のプルトップ。
【手続補正４】
【補正対象書類名】図面
【補正対象項目名】全図
【補正方法】変更
【補正の内容】
【図１】
2011037467.tif 000012
【図２】
2011037467.tif 000013
【図３】
2011037467.tif 000014
【図４】
2011037467.tif 000015
【図５】
2011037467.tif 000016
【図６】
2011037467.tif 000017